(57)【要約】【課題】組み立てを容易にしたころ軸受用保持器を提供する。【解決手段】本発明に係るころ軸受用保持器は、軸方向に間隔をあけて互いに同心に配置された、それぞれが円環状である１対のリムと、これら両リム同士の間に掛け渡された複数本の柱とから成り、これら両リムの内側面と円周方向に隣り合う柱の円周方向側面とにより四周を囲まれた部分を、それぞれポケットとし、前記ポケットの側面側のリムの断面積が、前記柱とリムの結合部のリムの断面積より小さいことを特徴とする。【選択図】図１
2012031904.tif 000002
【特許請求の範囲】
【請求項１】
ころ軸受用保持器において、軸方向に間隔をあけて互いに同心に配置された、それぞれが円環状である１対のリムと、これら両リム部同士の間に掛け渡された複数本の柱とから成り、これら両リムの内側面と円周方向に隣り合う柱の円周方向側面とにより四周を囲まれた部分を、それぞれポケットとし、前記ポケットの側面側のリムの断面積が、前記柱とリムの結合部のリムの断面積より小さいことを特徴としたころ軸受用保持器。
【請求項２】
前記ポケットの側面側のリムの側面が凹状であることを特徴とした請求項１のころ軸受用保持器。
【請求項３】
前記ころ軸受用保持器は、樹脂からなることを特徴とした請求項１または２のころ軸受用保持器。
【発明の詳細な説明】
【技術分野】
【０００１】
本発明は、ころ軸受用保持器に関する。
【背景技術】
【０００２】
従来から各種回転機械装置の回転支持部に、転がり軸受が組み込まれている。大きな荷重が加わる回転支持部を構成する為の転がり軸受としては、転動体としてころ（例えば円筒ころ、円すいころ）を使用した保持器付ころ軸受が使用されている。図６は、この様な保持器付ころ軸受の１例として、例えばスクリューコンプレッサーのロータ支持部に組み込む、保持器付円筒ころ軸受１を示している。この保持器付円筒ころ軸受１は、内周面の軸方向中間部に円筒面状の外輪軌道２を有する外輪３と、外周面の軸方向中間部に円筒面状の内輪軌道４を有する内輪５と、これら外輪軌道２と内輪軌道４との間に軸受用保持器６により保持した状態で転動自在に設けられた、複数の円筒ころ７とから成る。
【０００３】
図７（Ａ）の上部の図は、図６の軸受用保持器をＡ方向から見た断面図である。上記軸受用保持器６は、図７に示す様に、所謂籠型保持器と呼ばれるもので、軸方向に間隔をあけて互いに同心に配置された、それぞれが円環状である１対のリム６１、６１と、これら両リム６１、６１
同士の間に掛け渡された複数本の柱６２、６２とから成る。そして、これら両リム６１、６１の内側面と円周方向に隣り合う柱６２ 、６２の円周方向側面とにより四周を囲まれた部分を、それぞれポケット６３、６３としている。ポケット６３，６３間の各柱６２の側面は、円筒ころ７の外径面に沿った円筒面状に形成し、円筒ころ７がポケット６３の開口から落ちないようにしてある。したがって、ポケット６３のころ入口となる開口部の幅寸法Ｃは、円筒ころ７の外径寸法Ｄよりも小さくなっている。組立に際して、円筒ころ７は、白矢印で示すように、軸受用保持器６の内径側からポケット６３内に押し込み、軸受用保持器６の樹脂の持つ弾性で柱６２を撓ませて円筒ころ７の進入を可能とする。
【０００４】
このように、円筒ころ７を押し込んでポケット６３内に入れるため、開口部の幅寸法Ｃと、ころ外径Ｄの寸法差が大きくなると、円筒ころ７が軸受用保持器６に入り難い。なお、開口幅寸法Ｃを大きくすると、円筒ころ７は入り易くなる。しかし、軸受の組立時に円筒ころ７がポケット６３から落下し易くなる。特に、スクリューコンプレッサーのロータ支持部に、ころ軸受１を組み込む場合、外輪３と内輪５を別々に組み込む場合もあり、円筒ころ７の落下する状況が発生し易いので、開口幅寸法Ｃを大きくすることは好ましくない。
【０００５】
この部分の改善の先行技術としては、例えば特許文献１がある。これは、図８に示した様に、各ポケット６３間の柱６４の軸方向の一部に、断面を他の部分よりも小さくした幅狭部６４ａを設けることにより、柱６４を撓ませ易くしているものである。
【先行技術文献】
【特許文献】
【０００６】
【特許文献１】特開平８−２９６６５２号公報
【発明の概要】
【発明が解決しようとする課題】
【０００７】
しかしながら、特許文献１に記載のころ軸受の様に、各ポケット６３間の柱６４の軸方向の一部に、断面を他の部分よりも小さくした幅狭部６４ａを設けることのみでは、隣のポケット６３に既に転動体７が組み込まれている場合、撓んだ柱６４が隣に組み込まれている転動体７に干渉する為、柱６４が撓み難い場合もあり、組立容易性の面で改善の余地がある。
【０００８】
本発明は、前述した課題に鑑みてなされたものであり、その目的は、組み立てを容易にしたころ軸受用保持器を提供することにある。
【課題を解決するための手段】
【０００９】
前記課題を解決するため、本発明は次のような構成からなる。すなわち、本発明に係るころ軸受用保持器は、軸方向に間隔をあけて互いに同心に配置された、それぞれが円環状である１対のリムと、これら両リム同士の間に掛け渡された複数本の柱とから成り、これら両リムの内側面と円周方向に隣り合う柱の円周方向側面とにより四周を囲まれた部分を、それぞれポケットとし、前記ポケットの側面側のリムの断面積が、前記柱とリムの結合部のリムの断面積より小さいことを特徴とする。また、本発明に係るころ軸受用保持器は、前記ポケットの側面側のリムの側面が凹状であることを特徴とする。また、本発明に係るころ軸受用保持器は、樹脂からなることを特徴とする。
【発明の効果】
【００１０】
本発明によれば、前記ポケットの側面側のリムの断面積が、前記柱とリムの結合部の断面積より小さいので、隣のポケットに既に転動体が組み込まれている場合でも、ポケットの側面側のリムが周方向に弾性変形し易くなるので、当該ポケットに、ころを組み立て易くなる。
【図面の簡単な説明】
【００１１】
【図１】本発明に係るころ軸受用保持器の第１実施形態を外周から見た図
【図２】本発明に係るころ軸受用保持器の第１実施形態の側面から見た図
【図３】本発明に係るころ軸受用保持器の第２実施形態の側面から見た図
【図４】本発明に係るころ軸受用保持器の第３実施形態の外周から見た図
【図５】本発明に係るころ軸受用保持器の第３実施形態の側面から見た図
【図６】従来の保持器付ころ軸受の断面図
【図７】（Ａ）従来のころ軸受用保持器のころ押し込み過程を示す部分断面図、（Ｂ）は同保持器の部分平面図
【図８】従来のころ軸受用保持器の部分平面図
【発明を実施するための形態】
【００１２】
以下、本発明に係るころ軸受用保持器６の各実施形態について図面を参照して説明する。
＜第１実施形態＞
図１に示すように、本実施形態のころ軸受用保持器６は、例えば樹脂または金属からなる。樹脂材料としては、６６ナイロンを用いることが出来るが、高温強度や耐熱性に優れる４６ナイロンを用いることが好ましい。また、例えば、スクリューコンプレッサーのロータ支持部の様に、耐摩耗性や耐油性や耐熱性が求められる用途においては、耐摩耗性や耐油性や耐熱性に優れた直鎖型ポリフェニレンサルファイドを用いることがより好ましい。また、金属材料としては、銅合金やダクタイル鋳鉄を用いることが出来るが、高速回転する用途には、鉄メッキ等の皮膜を設けても良い。また、本発明に係るころ軸受用保持器６は、例えば図１に示すように、軸方向に間隔をあけて互いに同心に配置された、それぞれが円環状である１対のリム６１、６１と、これら両リム同士の間に掛け渡された複数本の柱６５、６５から成る。なお、本発明では図１の点線を境として、点線より側面側をリム６１とし、点線より内側を柱６５とした。また、これら両リムの内側面と円周方向に隣り合う柱の円周方向側面とにより四周を囲まれた部分を、それぞれポケット６３、６３としている。また、前記柱６５の両ポケット側の側面には、各２箇所、計４箇所の凸部６６、６６、６６、６６が設けられている。前記凸部６６は、図示しないころの外径面に沿った円筒面状に形成され、ころがポケット６３の開口から落ちないようにしてある。したがって、ポケット６３のころ入口となる開口部の幅寸法は、ころの外径寸法よりも小さくなっている。また、前記ポケットの側面側のリム６１ａの断面積が、前記柱とリムの結合部６７のリムの断面積より小さくなっている。ポケットの側面側のリムの断面積を小さくする手段として、本実施形態では、図１と図２の様に、前記ポケットの側面側のリムの側面６１ａ１を、側面から見た場合、４角形になる様に凹状としている。この様な構造になっているので、隣のポケットに既に転動体が組み込まれている場合でも、ポケットの側面側のリムが周方向に弾性変形し易くなるので、当該ポケットに、ころを組み立て易くなる。
また、前記ポケットの側面側のリム６１ａと、前記柱とリムの結合部６７との段差部６８は、滑らかな曲面となっているので、応力が集中し難く、破損し難い。また、前記ポケットの両側面のリム６１ａ、６１ａが、ポケット６３に対して対称な形状になっている場合、ころを組み込む際、ポケットの側面側の両方のリム６１ａ、６１ａが均等に弾性変形する為、ころの組み込みが容易となる。
【００１３】
＜第２実施形態＞
次に、図３を参照して第２の実施形態について説明する。なお、第１実施形態と同一又は同等部分は説明を簡略化又は省略する。図３のころ軸受用保持器において、ポケットの側面側のリム６１ｂ、６１ｂの側面６１ｂ１は、径方向の外側に向かって面積が広くなっている。この様な、形状にすることにより、軸受の回転時の遠心力によって、軸受内に滞留する余分な潤滑剤を径方向の外側に移動させ易くなるので、回転トルクを減少させることが出来る。また、この様な構造になっているので、隣のポケットに既に転動体が組み込まれている場合でも、ポケットの側面側のリムが周方向に弾性変形し易くなるので、当該ポケットに、ころを組み立て易くなる。また、前記ポケットの両側面のリム６１ｂ、６１ｂが、ポケットに対して対称な形状になっている場合、ころを組み込む際、ポケットの側面側の両方のリム６１ｂ、６１ｂが均等に弾性変形する為、ころの組み込みが容易となる。
【００１４】
＜第３実施形態＞
次に、図４と図５を参照して第３の実施形態について説明する。なお、第１、第２実施形態と同一又は同等部分は説明を簡略化又は省略する。図４と図５において、前記ポケットの側面側のリム６１ｃの側面６１ｃ１が円筒の凹状になっている。この様な形状になっている場合、円筒の凹状の一部に応力が集中し難い為、保持器が破損し難い。また、この様な構造になっているので、隣のポケットに既に転動体が組み込まれている場合でも、ポケットの側面側のリムが周方向に弾性変形し易くなるので、当該ポケットに、ころを組み立て易くなる。また、前記ポケットの両側面のリム６１ｃ、６１ｃが、ポケットに対して対称な形状になっている場合、ころを組み込む際、ポケットの側面側の両方のリム６１ｃ、６１ｃが均等に弾性変形する為、ころの組み込みが容易となる。
【００１５】
なお、上述の実施形態は本発明の一例を示したものであって、本発明はこれらの実施形態に限定されるものではない。本発明の主旨を外れない限り、他の実施形態にも適用出来る。
【符号の説明】
【００１６】
１        保持器付円筒ころ軸受
２        外輪軌道
３        外輪
４        内輪軌道
５        内輪
６        ころ軸受用保持器
７        円筒ころ
６１      リム
６１ａ    ポケットの側面側のリム
６１ａ１  ポケットの側面側のリムの側面
６１ｂ    ポケットの側面側のリム
６１ｂ１  ポケットの側面側のリムの側面
６１ｃ    ポケットの側面側のリム
６１ｃ１  ポケットの側面側のリムの側面
６２      柱
６３      ポケット
６４      柱
６４ａ    幅狭部
６５      柱
６６      凸部
６７      柱とリムの結合部
６８      段差部
【図１】
2012031904.tif 000003
【図２】
2012031904.tif 000004
【図３】
2012031904.tif 000005
【図４】
2012031904.tif 000006
【図５】
2012031904.tif 000007
【図６】
2012031904.tif 000008
【図７】
2012031904.tif 000009
【図８】
2012031904.tif 000010